(57)【要約】【課題】建物隣接排水溝の蓋支持枠体として、建物の出入り口隣接部とともに該出入り口隣接部以外にも設置可能なものを提供する。【解決手段】上端部に蓋受け枠部１２を有するとともに本体部の中間の背部に排水溝４１の反建物側側壁４２に止めねじ４４を介して固定する水平枠部１３を有する蓋支持基枠１１の本体部の長手方向の各端部近傍部に、垂直片部２２と水平片部２３を有するブラケット２１の垂直片部２２をリベット２５、２６を介して固定し、各ブラケットの２１の水平片部２３の先端部に、蓋受け枠３１の各端部近傍部を止めねじを介して固定する。【選択図】図１
0003157508.tif 000002
【実用新案登録請求の範囲】
【請求項１】
建物に隣接してのびる排水溝の反建物側の側壁にアンカー手段を介して固定する、上端部に蓋の反建物側の側縁部を支持可能なアングル形の蓋受け枠部を有する蓋支持基枠と、それぞれ基端部を該蓋支持基枠の蓋受け枠部から下方にのびる本体部に固定する、相互に蓋支持基枠の長手方向に間隔をおいて排水溝の幅方向に延在可能な複数のブラケットと、複数のブラケットの先端部上を蓋支持基枠の蓋受け枠部に対向してのびる状態で各ブラケットの先端部に固定する、蓋の建物側の側縁部を支持可能なアングル形の蓋受け枠とからなる、建物隣接排水溝の蓋支持枠体。
【請求項２】
各ブラケットの基端部を蓋支持基枠の蓋受け枠部から下方にのびる本体部に一体的に固定してなる、請求項１記載の建物隣接排水溝の蓋支持枠体。
【考案の詳細な説明】
【技術分野】
【０００１】
この考案は、建物の外側において建物に隣接してのびる排水溝の蓋を支持する枠体に関する。
【背景技術】
【０００２】
従来においては、建物に隣接する排水溝は、建物のベランダ等に対する出入り口に隣接する部位に限定されており、その他の部位には設置されていない。これは排水溝の蓋の建物側の側縁部を支持する蓋受け枠の付設の可否によるもので、出入り口隣接部においては支持枠は出入り口を形成するサッシ類の下枠部等に付設可能である（例えば、特許文献１参照）が、出入り口以外の部位には適当な付設用の枠が存在しないからである。
【０００３】
しかるに、建物周りの雨水等の排除の点からは、後者の出入り口隣接部以外にも排水溝の設置が望ましい場合が多々有る。
【先行技術文献】
【特許文献】
【０００４】
【特許文献１】特開平９-８８４３７号公報
【考案の概要】
【考案が解決しようとする課題】
【０００５】
この考案は、上記のような状況に鑑み、前者の建物の出入り口隣接部はもちろんのこと、後者の出入り口隣接部以外にも設置可能な建物隣接排水溝の蓋支持枠体を提供することを課題としている。
【課題を解決するための手段】
【０００６】
この考案によれば、上記の課題は、実用新案登録請求の範囲の請求項１に記載のように、建物に隣接してのびる排水溝の反建物側の側壁にアンカー手段を介して固定する、上端部に蓋の反建物側の側縁部を支持可能なアングル形の蓋受け枠部を有する蓋支持基枠と、それぞれ基端部を該蓋支持基枠の蓋受け枠部の下にのびる本体部に固定する、相互に蓋支持基枠の長手方向に間隔をおいて排水溝の幅方向に延在可能な複数のブラケットと、複数のブラケットの先端部上を蓋支持基枠の蓋受け枠部に対向してのびる状態で各ブラケットの先端部に固定する、蓋の建物側の側縁部を支持可能なアングル形の蓋受け枠とからなる、建物隣接排水溝の蓋支持枠体によって解決する。
【０００７】
この考案の蓋支持枠体においては、請求項２に記載のごとく、なるべく各ブラケットの基端部は蓋支持基枠の蓋受け枠部の下にのびる本体部に一体的に固定する。
【考案の効果】
【０００８】
実用新案登録請求の範囲の請求項１に記載のこの考案の蓋支持枠体によれば、排水溝の反建物側の側壁に固定する蓋受け枠部付きの蓋支持基枠に、複数のブラケットの基端部を固定し、これらのブラケットの先端部上に、蓋支持基枠の蓋受け枠部に対向する蓋受け枠を固定するという形で、蓋の建物側の側縁部を支持可能な蓋受け枠を、排水溝の反建物側の側壁から片持ち梁的にのびるブラケットの先端部に付設するので、建物の出入り口隣接部はもちろん、適当な蓋受け枠の付設用の枠が存在しない建物隣接部にも排水溝を形成することができる。
【０００９】
また請求項２に記載のブラケットの蓋支持基枠に対する一体的な固定構成によれば、施工現場における施工を短時間で行うことができる。
【図面の簡単な説明】
【００１０】
【図１】この考案に係る蓋支持枠体の実施例の側面図である。
【図２】図１に示す実施例の平面図である。
【考案を実施するための形態】
【００１１】
以下図１及び図２に基づいて、この考案に係る蓋支持枠体の実施形態として、蓋支持基枠にブラケットを一体的に固定する好適な構成を有する実施例について説明する。
【実施例】
【００１２】
蓋支持枠体１０を構成する蓋支持基枠１１は、上端部にアングル形の蓋受け枠部１２を有するとともにその下の本体部の中間の背部に、長手方向の各端部近傍部に上下にのびるねじ挿通穴（図示せず）を形成した側壁固定用水平枠部１３を有し、かつ水平枠部１３のねじ挿通穴形成部に対応する蓋受け枠部１２と水平枠部１３の間及び水平枠部１３の下方部の上下の二個所に、水平にのびるリベット穴（図示せず）及びさら頭リベット穴（図示せず）を形成した型材からなっている。
【００１３】
この蓋支持基枠１１に固定する複数のブラケット２１のそれぞれは、蓋支持基枠１１の上下のリベット穴に連通可能な上下一対のリベット穴（図示せず）を形成した基端部の垂直片部２２と、垂直片部２２の上端から水平にのびるとともに先端部に上下に貫通するねじ穴（図示せず）を形成した水平片部２３を有するアングル片のアングル空間部に、直角三角形状の補強板２４を延在させた構造からなっており、それぞれの垂直片部２２を蓋支持基枠１１の蓋受け枠部１２から下方にのびる本体部に、対応するリベット穴の連通状態でリベット２５、さら頭リベット２６を介して固定することにより、長手方向の各端部近傍部にブラケット２１を一体的に固定した蓋支持基枠１１を形成する。
【００１４】
他方蓋支持枠３１は蓋支持基枠１１の蓋支持枠部１２と同等のアングル形で、長手方向の各端部近傍部に、ブラケット２１の水平片部２３のねじ穴に連通可能なさら形のねじ挿通穴（図示せず）が形成されている。
【００１５】
施工現場においては、ブラケット２１付きの蓋支持基枠１１は、その側壁固定用水平枠部１３を、排水溝４１の反建物側の側壁４２の複数の内ねじアンカー（アンカーナット）４３付き表面部上に、止めねじ４４をねじ挿通穴を通して内ねじアンカー４３にねじ係合することにより固定し、これによって各ブラケット２１が排水溝４１内を幅方向にのびて、先端部が排水溝４１の建物側の側壁を形成する建物の外壁部４５に隣接する状態にする。
【００１６】
この状態で複数のブラケット２１の先端部上に蓋支持枠３１を設置し、さら頭止めねじ３２をそのさら形のねじ挿通穴を通してねじ穴にねじ係合することにより固定すれば、蓋支持基枠１１の蓋支持枠部１２上と複数のブラケット２１の先端部に固定した蓋支持枠３１上に蓋３６の両側縁部を支持可能な蓋支持枠体１０を形成することができる。
【符号の説明】
【００１７】
１０  蓋支持枠体
１１  蓋支持基枠
１２  蓋受け枠部
１３  側壁固定用水平枠部
２１  ブラケット
２２  垂直片部
２３  水平片部
２４  補強板
２５  リベット
２６  さら頭リベット
３１  蓋受け枠
３２  さら頭止めねじ
３６  蓋
４１  排水溝
４２  側壁
４３  内ねじアンカー
４４  止めねじ
４５  外壁部
【図１】
0003157508.tif 000003
【図２】
0003157508.tif 000004